(57)【要約】【課題】側部に取り付けられたカードが外側に倒れることを防止可能な折畳コンテナの提供を目的とする。【解決手段】本発明の折畳コンテナ１０は、底壁３０の各辺部に第１側壁１１と第２側壁２１とが回動可能に連結され、側部にカード９０を取り付け可能なカード受容凹部５０を有している。カード受容凹部５０は、底壁３０における第２側壁支持部３２Ｂに形成された下側受容凹部５１と、第２側壁２１に形成された上側受容凹部５５とで構成され、下側受容凹部５１の外縁部には、カード９０の縁部が差し込まれる差込溝５０Ｍが設けられている。また、上側受容凹部５５の外縁部から突出した外倒れ規制突片６０がカード９０の外側に重ねられるので、カード９０が外側に倒れることが防がれる。【選択図】図９
2015120523.tif 000002
【特許請求の範囲】
【請求項１】
平面形状が四角形の底壁の各辺部に側壁が回動可能に連結されて、各前記側壁が前記底壁から起立して箱状をなす組立状態と各前記側壁が前記底壁に重ねられて平板状をなす折畳状態とに変化し、前記組立状態で側部にカードを取り付け可能な折畳コンテナにおいて、
前記底壁と前記側壁の外側面同士に跨って形成されて、前記カードを受容可能なカード受容凹部と、
前記底壁における前記カード受容凹部の開口縁部から突出して、そのカード受容凹部の奥面との間に前記カードの縁部が差し込まれる差込溝を形成する差込溝形成突部と、
前記側壁における前記カード受容凹部の開口縁部から突出して、そのカード受容凹部に受容された前記カードに外側から重ねられる外倒れ規制突片と、を備えたことを特徴とする折畳コンテナ。
【請求項２】
前記差込溝形成突部は、前記底壁における前記カード受容凹部の横方向一端側の側縁部から突出して上下方向に延びた第１の前記差込溝を形成する第１の差込溝形成突部と、前記底壁における前記カード受容凹部の横方向一端側の下縁部から突出して横方向に延びた第２の前記差込溝を形成する第２の差込溝形成突部とのみで構成され、
前記外倒れ規制突片を、前記カード受容凹部の横方向一端側に配置したことを特徴とする請求項１に記載の折畳コンテナ。
【請求項３】
前記外倒れ規制突片を、前記カード受容凹部の横方向他端側に配置したことを特徴とする請求項２に記載の折畳コンテナ。
【請求項４】
前記側壁における前記カード受容凹部の奥面を前記底壁における前記カード受容凹部の奥面よりも内側に配置すると共に、前記カードの上側部分が下側部分に対して内側に折れ曲げられた状態となるように前記外倒れ規制突片を前記側壁における前記カード受容凹部の奥面に近づけて配置したことを特徴とする請求項１乃至３のうち何れか１の請求項に記載の折畳コンテナ。
【請求項５】
前記外倒れ規制突片を弾性変形可能な構造として、その外倒れ規制突片により前記カードを前記カード受容凹部の奥面に押し付け可能としたことを特徴とする請求項１乃至４のうち何れか１の請求項に記載の折畳コンテナ。
【発明の詳細な説明】
【技術分野】
【０００１】
本発明は、平面形状が四角形の底壁の各辺部に側壁が回動可能に連結されて、各側壁が底壁から起立して箱状をなす組立状態と各側壁が底壁に重ねられて平板状をなす折畳状態とに変化する折畳コンテナに関する。
【背景技術】
【０００２】
従来、この種の折畳コンテナとして、底壁の側面に備えたカード取付部にてカードの下端部を支持することで、組立状態の側部にカードを取り付け可能としたものが知られている（例えば、特許文献１参照）。
【先行技術文献】
【特許文献】
【０００３】
【特許文献１】特開２００４−７５１６６号公報（［００２１］、図６）
【発明の概要】
【発明が解決しようとする課題】
【０００４】
しかしながら、上述した従来の折畳コンテナでは、カードが外側に倒れてしまい、その結果、カードが脱落したり、カードに記載された情報の読み取りが困難になるという問題があった。
【０００５】
本発明は、上記事情に鑑みてなされたもので、側部に取り付けられたカードが外側に倒れることを防止可能な折畳コンテナの提供を目的とする。
【課題を解決するための手段】
【０００６】
上記目的を達成するためになされた請求項１の発明に係る折畳コンテナは、平面形状が四角形の底壁の各辺部に側壁が回動可能に連結されて、各側壁が底壁から起立して箱状をなす組立状態と各側壁が底壁に重ねられて平板状をなす折畳状態とに変化し、組立状態で側部にカードを取り付け可能な折畳コンテナにおいて、底壁と側壁の外側面同士に跨って形成されて、カードを受容可能なカード受容凹部と、底壁におけるカード受容凹部の開口縁部から突出して、そのカード受容凹部の奥面との間にカードの縁部が差し込まれる差込溝を形成する差込溝形成突部と、側壁におけるカード受容凹部の開口縁部から突出して、そのカード受容凹部に受容されたカードの外側に重ねられる外倒れ規制突片と、を備えたところに特徴を有する。
【０００７】
請求項２の発明は、請求項１に記載の折畳コンテナにおいて、差込溝形成突部は、底壁におけるカード受容凹部の横方向一端側の側縁部から突出して上下方向に延びた第１の差込溝を形成する第１の差込溝形成突部と、底壁におけるカード受容凹部の横方向一端側の下縁部から突出して横方向に延びた第２の差込溝を形成する第２の差込溝形成突部とのみで構成され、外倒れ規制突片を、カード受容凹部の横方向一端側に配置したところに特徴を有する。
【０００８】
請求項３の発明は、請求項２に記載の折畳コンテナにおいて、外倒れ規制突片を、カード受容凹部の横方向他端側に配置したところに特徴を有する。
【０００９】
請求項４の発明は、請求項１乃至３のうち何れか１の請求項に記載の折畳コンテナにおいて、側壁におけるカード受容凹部の奥面を底壁におけるカード受容凹部の奥面よりも内側に配置すると共に、カードの上側部分が下側部分に対して内側に折れ曲げられた状態となるように外倒れ規制突片を側壁におけるカード受容凹部の奥面に近づけて配置したところに特徴を有する。
【００１０】
請求項５の発明は、請求項１乃至４のうち何れか１の請求項に記載の折畳コンテナにおいて、外倒れ規制突片を弾性変形可能な構造として、その外倒れ規制突片によりカードをカード受容凹部の奥面に押し付け可能としたところに特徴を有する。
【発明の効果】
【００１１】
［請求項１の発明］
請求項１の発明では、底壁におけるカード受容凹部の開口縁から突出した差込溝形成突部とカード受容凹部の奥面との間に形成された差込溝にカードの縁部を差し込むことで、カードがカード受容凹部に受容された状態で底壁に支持される。即ち、カードが組立状態の折畳コンテナの側部に取り付けられる。そして、本発明では、側壁におけるカード受容凹部の開口縁部から突出した外倒れ規制突片が、カード受容凹部に受容されたカードに外側から重ねられるので、折畳コンテナの側部に取り付けられたカードが外側に倒れることが防がれる。
【００１２】
［請求項２，３の発明］
請求項２の発明によれば、差込溝形成突部が、底壁におけるカード受容凹部の横方向一端側の側縁部から突出した第１の差込溝形成突部と、そのカード受容凹部の横方向一端側の下縁部から突出した第２の差込溝形成突部とのみで構成されているので、底壁におけるカード受容凹部の横方向他端側部分全体が折畳コンテナの外側に開放した構造となる。従って、底壁におけるカード受容凹部の横方向他端側にカードを重ねて一端側へ向けて移動させることで、カードの縁部を第１と第２の差込溝に差し込むことが可能となり、底壁へのカードの取り付けが容易となる。また、本発明では、差込溝と外倒れ規制突片の両方が、カード受容凹部の横方向一端側に寄せて配置されているので、横幅が小さなカードを取り付ける場合であっても、そのカードを底壁で支持しつつ、外倒れ規制突片にて外側に倒れることを防ぐことができる。
【００１３】
また、請求項３の発明のように、外倒れ規制突片をカード受容凹部の横方向他端側にも配置した構成とすれば、カードの横幅が大きい場合に、カードの横方向他端側部分の上部を外倒れ規制突片とカード受容凹部の奥面との間に挟むことが可能となり、カードの他端側部分が外側に倒れることが防がれる。
【００１４】
［請求項４の発明］
請求項４の発明によれば、カード受容凹部に受容されたカードが、上側部分が下側部分に対して内側に折り曲げられた状態となるので、折畳コンテナの側部に取り付けられたカードを外側に倒れ難くすることができる。
【００１５】
［請求項５の発明］
請求項５の発明によれば、外倒れ規制突片によってカードがカード受容凹部の奥面に押し付けられるので、カードを安定して保持することが可能になる。
【図面の簡単な説明】
【００１６】
【図１】本発明の第１実施形態に係る折畳コンテナの斜視図
【図２】折畳状態における折畳コンテナの斜視図
【図３】図１における第１側壁周辺の拡大図
【図４】図２における第２側壁周辺の拡大図
【図５】第２側壁と底壁の一部破断斜視図
【図６】第２側壁と底壁の一部破断斜視図
【図７】第２側壁と外倒れ規制突片の分解斜視図
【図８】（Ａ）外倒れ規制突片の前方斜視図、（Ｂ）外倒れ規制突片の後方斜視図
【図９】カードが取り付けられた折畳コンテナの斜視図
【図１０】カードが取り付けられた折畳コンテナの斜視図
【図１１】カードが取り付けられた状態で折り畳まれた折畳コンテナの斜視図
【図１２】本発明の第２実施形態に係る折畳コンテナの斜視図
【図１３】変形例に係る折畳コンテナの斜視図
【発明を実施するための形態】
【００１７】
［第１実施形態］
以下、本発明の第１実施形態を図１〜図１１に基づいて説明する。図１に示すように、本実施形態に係る折畳コンテナ１０は、上面が開放しかつ平面形状が長方形の箱状になっていて、底壁３０の外縁部における１対の短辺部分に１対の第１側壁１１，１１が回動可能に連結されると共に、底壁３０の外縁部における１対の長辺部分に１対の第２側壁２１，２１が回動可能に連結されている。
【００１８】
底壁３０の外縁部全体には、第１及び第２の側壁１１，２１を支持するための側壁支持部３２が形成されている。具体的には、底壁３０は、長方形状の底板３１を有し、図５及び図６に示すように、底板３１の外縁より若干内側に入り込んだ位置から上方に支持側壁３３が突出している。支持側壁３３は全体として枠状をなすと共に、支持側壁３３の上端部から四方に第１フランジ部３４が張り出し、その第１フランジ部３４と、底板３１のうち支持側壁３３より外側に張り出した部分である第２フランジ部３５との間を複数の縦リブ３６等で連結することで、上記した側壁支持部３２が構成されている。
【００１９】
また、図５及び図６に示すように、底板３１の外縁部における１対の長辺部分の中央では、第２フランジ部３５が切除されると共に、第１フランジ部３４の先端から側部対向壁３７が垂下されて支持側壁３３に外側から対向している。なお、側部対向壁３７と支持側壁３３との間は、複数の縦リブ３６にて連結されている（図６参照）。
【００２０】
図１に示すように、側壁支持部３２のうち底板３１の短辺部分に配置された第１側壁支持部３２Ａは、長辺部分に配置された第２側壁支持部３２Ｂに比べて低くなっている。そして、１対の第１側壁支持部３２Ａ，３２Ａの上に１対の第１側壁１１，１１が起立すると共に、１対の第２側壁支持部３２Ｂ，３２Ｂの上に１対の第２側壁２１，２１が起立して折畳コンテナ１０が組立状態になる。また、１対の第１側壁１１，１１を底壁３０の上に重ねてから、それら第１側壁３１，３１の上に１対の第２側壁２１，２１を重ねて折畳コンテナ１０を折畳状態にすることができる（図２参照）。
【００２１】
図３に示すように、各第１側壁支持部３２Ａにおける長手方向の両端部には、１対のコーナー突片３２Ｃ，３２Ｃが設けられている。コーナー突片３２Ｃ，３２Ｃは、第１と第２のフランジ部３４，３５の先端間を連絡する平板を第２側壁支持部３２Ｂと同じ高さまで延長してなり、第２側壁支持部３２Ｂと一体になっている。
【００２２】
図６に示すように、底板３１の下面には、横ずれ規制突部３８が形成されている。この横ずれ規制突部３８は、底板３１の外縁から若干内側に入り込んだ位置で下方に突出した枠状リブ３８Ｗと、枠状リブ３８Ｗの内側に設けられた格子状リブ３８Ｌとで構成されている。そして、複数の折畳コンテナ１０，１０を組立状態で上下に段積みしたときに、上段側の折畳コンテナ１０の第２フランジ部３５の下面が、下段側の折畳コンテナ１０における第１と第２の側壁１１，２１の上面に当接すると共に、上段側の折畳コンテナ１０の横ずれ規制突部３８が下段側の折畳コンテナ１０の上面開口１０Ｋ（図１参照）内に嵌合して、上下の折畳コンテナ１０，１０の横ずれが防がれる。また、折畳コンテナ１０を折畳状態（図２参照）にして段積みすると、上段側の折畳コンテナ１０の第２フランジ部３５が下段側の折畳コンテナ１０における第２側壁支持部３２Ｂとコーナー突片３２Ｃの上面に当接すると共に、上段側の折畳コンテナ１０の横ずれ規制突部３８が下段側の折畳コンテナ１０の第２側壁支持部３２Ｂとコーナー突片３２Ｃ内に嵌合して、上下の折畳コンテナ１０，１０の横ずれが防がれる。
【００２３】
図５に示すように、第１と第２の側壁１１，２１は、組立状態で底壁３０の支持側壁３３の延長線上に配置される第１と第２の側板１２，２２を有し、それら第１と第２の側板１２，２２の上下の両端から外側に上縁フランジ部１２Ｊ，２２Ｊと下縁フランジ部１２Ｋ，２２Ｋ（下縁フランジ部１２Ｋについては図３を参照）が張り出している。また、図１に示すように、第１と第２の側板１２，２２の外面からは複数のリブ１２Ｌ，２２Ｌが突出している。
【００２４】
図１に示すように、各第２側壁２１の両側縁部からは、第１側壁１１，１１側に向かって１対のサイド突壁２３，２３が突出している。各サイド突壁２３は、第２側壁２１の上端部から下端部まで延びた帯板状をなし、各サイド突壁２３における長手方向の複数位置には、連結孔２３Ａが貫通形成されている。また、図示はしないが、各第１側壁１１の両側縁部からは、連結孔２３Ａに対応した複数の連結突部が第２側壁２１の長手方向に沿って外側に突出している。そして、折畳コンテナ１０が組立状態になると、各第１側壁１１が１対の第２側壁２１，２１の間に挟まれ、前記連結突部がサイド突壁２３の連結孔２３Ａに凹凸係合する。
【００２５】
図３に示すように、第１側壁１１の外面上部における左右方向の中央には、四方をリブ１２Ｌで囲まれた操作凹部１１Ａが設けられている。そして、操作凹部１１Ａ内に操作部材４１が組み付けられ、その操作部材４１の外側から操作部カバー４２が装着されている。また、操作部カバー４２には操作窓部４２Ｗが形成され、操作部材４１の一部が操作窓部４２Ｗを通して露出している。さらに、操作部材４１は、第１側壁１１の横方向を向いた回動軸を中心に回動可能に支持されると共に、図示しない弾性片を一体に備えて回動範囲の一端側のロック位置に付勢されている。そして、操作部材４１は、操作窓部４２Ｗから露出した部分が下方に押圧されると回動してロック解除位置まで移動する。
【００２６】
第１側壁１１の外面上部のうち操作凹部１１Ａの両側には、１対のリブ１２Ｌ，１２Ｌに上下から挟まれて横方向に延びた収容溝４０Ｍがそれぞれ設けられ、各収容溝４０Ｍに横長の連結部材４０がそれぞれ収容されている。また、各連結部材４０の基端部は、操作凹部１１Ａ内で操作部材４１に連結される一方、各連結部材４０の先端部は、操作部材４１がロック位置にあるときに、サイド突壁２３の裏側（即ち、折畳コンテナ１０の内側）で第２側壁２１の側部と係合する。そして、操作部材４１をロック位置からロック解除位置へと移動すると、それに連動して連結部材４０，４０が第１側壁１１の長手方向の中央側へと移動し、連結部材４０と第２側壁２１との係合が解除される。
【００２７】
ところで、図９に示すように、組立状態の折畳コンテナ１０の側部には、収納物や搬送先等が記載されたカード９０が取り付け可能になっている。具体的には、カード９０は、折畳コンテナ１０の外側面に形成されたカード受容凹部５０に受容された状態で取り付けられる。以下、このカード受容凹部５０について説明する。
【００２８】
図１に示すように、カード受容凹部５０は、底壁３０の第２側壁支持部３２Ｂと第２側壁２１とに跨って形成されている。カード受容凹部５０のうち第２側壁支持部３２Ｂに形成された部分である下側受容凹部５１は、以下のようにして形成されている。
【００２９】
即ち、図４に示すように、第２側壁支持部３２Ｂの側部対向壁３７は、右側部分に段差部３７Ｄを有し、その段差部３７Ｄより左側部分が右側部分より内側に奥まって配置されている。ここで、側部対向壁３７のうち段差部３７Ｄより左側部分を左側対向部３７Ａと、右側部分を右側対向部３７Ｂと称して区別することにすると、左側対向部３７Ａの下縁部と左側縁部とからは、下縁壁５２と側縁壁５３とが外側に突出している。そして、段差部３７Ｄと、下縁壁５２と、側縁壁５３とによって、上記した下側受容凹部５１が形成されている。なお、下縁壁５２及び側縁壁５３の突出量は段差部３７Ｄの深さと同じになっていて、下縁壁５２は右側対向部３７Ｂと一体になっている。
【００３０】
また、下縁壁５２及び側縁壁５３の先端部からは、下側受容凹部５１内に向かって下縁突片５２Ｔと側縁突片５３Ｔが突出している。詳細には、下縁突片５２Ｔは、下縁壁５２の長手方向の中間位置より左側に配置され、側縁突片５３Ｔは、側縁壁５３の上端部から下端部に亘って配置されている。そして、左側対向部３７Ａと側縁突片５３Ｔとの間に、上下方向に延びた本発明の第１の差込溝５３Ｍが形成され、左側対向部３７Ａと下縁突片５２Ｔとの間に、横方向に延びた本発明の第２の差込溝５２Ｍが形成されている。
【００３１】
なお、本実施形態では、側縁突片５３Ｔが本発明の「第１の差込溝形成突部」に相当し、下縁突片５２Ｔが本発明の「第２の差込溝形成突部」に相当する。また、第１の差込溝５３Ｍと第２の差込溝５２Ｍとで本発明に係る差込溝５０Ｍが構成され、下縁突片５２Ｔと側縁突片５３Ｔとで本発明に係る差込溝形成突部５０Ｔが構成されている。
【００３２】
図４に示すように、カード受容凹部５０のうち第２側壁２１に形成された部分である上側受容凹部５５は、第２側壁２１のうち側部対向壁３７の上方に配置される部分が下縁フランジ部２２Ｋとリブ２２Ｌとで四方を囲まれることにより形成されている。
【００３３】
詳細には、下縁フランジ部２２Ｋは、右端部を除いた残りの部分の先端が切除されて、底壁３０の第１フランジ部３４より外側にはみ出さないようになっている（図６参照）。そして、上側受容凹部５５は、下縁フランジ部２２Ｋの先端が切除された部分で下方に開放して下側受容凹部５１の上部に連絡し、それら上下の受容凹部５１，５５によってカード受容凹部５０が形成されている。なお、組立状態において、上側受容凹部５５の奥面は、下側受容凹部５１の奥面よりも内側に配置されている。
【００３４】
図１に示すように、上側受容凹部５５の開口縁からは外倒れ規制突片６０が突出している。本実施形態では、外倒れ規制突片６０は、上側受容凹部５５の左右の両端に備えられ、左側に配置された外倒れ規制突片６０が上側受容凹部５５の側縁部から横方向に突出し、右側に配置された外倒れ規制突片６０が上側受容凹部５５の上縁部から下方に突出している。
【００３５】
詳細には、図７に示すように、外倒れ規制突片６０は、上側受容凹部５５の開口縁部（上縁部と側縁部）に形成された突片取付部５６に着脱可能に固定されている。なお、図７には、左側に配置された外倒れ規制突片６０及び突片取付部５６が示されているが、右側に配置された外倒れ規制突片６０及び突片取付部５６についても同様の構成となっている。
【００３６】
突片取付部５６は、上側受容凹部５５の内側面を構成するリブ２２Ｌに貫通形成された係合凹部５８と、そのリブ２２Ｌから上側受容凹部５５内に突出して係合凹部５８を挟んで対峙した１対の支持壁５７，５７とで構成されている。また、１対の支持壁５７，５７は、上側受容凹部５５の開口側の端部から奥側へ直線状に延びた幅移動規制部５７Ａ，５７Ａと、幅移動規制部５７Ａ，５７Ａの奥側の端部から上側受容凹部５５内に突出して先端部が互いに接近するように鉤状に折れ曲がった抜止部５７Ｂ，５７Ｂとで構成されている。なお、抜止部５７Ｂは、上側受容凹部５５の奥壁、即ち、第２側板２２と一体になっている。
【００３７】
外倒れ規制突片６０は、図８（Ａ）に示すように、長方形状をなす固定板６１のうち厚さ方向を向いた一方の端面から弾性片６２が突出する一方、他方の端面から係合突部６３が突出した構造になっている。係合突部６３は、固定板６１の長手方向の中央部に配置され、短手方向の一端側で高さが低くなった楔形状をなしている。なお、以下では、固定板６１の短手方向において、係合突部６３の高さが高い側を外倒れ規制突片６０の前側、低い側を外倒れ規制突片６０の後側などと呼ぶことにする。
【００３８】
弾性片６２は、固定板６１の長手方向から見た形状が略くの字形状をなして、前後方向に弾性変形可能に構成されている。詳細には、弾性片６２は、固定板６１の前端寄り位置から斜め後方に延びた基端傾斜壁６２Ａと、基端傾斜壁６２Ａの先端部に連絡して斜め前方に延びた先端傾斜壁６２Ｂとを備えている。図８（Ｂ）に示すように、基端傾斜壁６２Ａ及び先端傾斜壁６２Ｂは、互いの連絡部分に近づくにつれて幅狭になっていて、その幅狭になった部分の両側縁同士が三角形状の側部連絡壁６２Ｃ，６２Ｃで連絡されている。なお、各側部連絡壁６２Ｃは、後方に向かうに従って、弾性片６２の幅方向中央側へ向かうように傾斜している。また、基端傾斜壁６２Ａの幅方向の中央部には、基端傾斜壁６２Ａの突出方向に延びた線状切欠部６２Ｋが形成されている。
【００３９】
外倒れ規制突片６０は、以下のようにして突片取付部５６に固定される。即ち、図７に示すように、外倒れ規制突片６０の後面を上側受容凹部５５の奥面（第２側板２２）に対向させた状態で外倒れ規制突片６０を後方に移動させて、固定板６１を１対の支持壁５７，５７の間に差し込む。固定板６１の後端部が上側受容凹部５５の奥面に突き当てられると、外倒れ規制突片６０の係合突部６３が突片取付部５６の係合凹部５８と凹凸係合し、外倒れ規制突片６０は、前方へ抜け止めされる。また、外倒れ規制突片６０は、固定板６１が幅移動規制部５７Ａ，５７Ａに挟まれることで幅方向の移動が規制されると共に、固定板６１の後端部が上側受容凹部５５の内側面（リブ２２Ｌ）と抜止部５７Ｂ，５７Ｂとの間に挟まれることで上側受容凹部５５の内側へ移動することが規制される（図５及び図６参照）。これらにより、外倒れ規制突片６０が突片取付部５６に固定される。なお、外倒れ規制突片６０は、突片取付部５６に固定された状態で、全体が上側受容凹部５５内に受容されて上側受容凹部５５より外側に飛び出さないようになっている。
【００４０】
ここで、外倒れ規制突片６０が突片取付部５６に固定された状態で、弾性片６２と上側受容凹部５６の奥面との間隔は、カード９０の厚さよりも小さくなっている。なお、弾性片６２は、上側受容凹部５６の奥面に当接していてもよいし、その奥面との間に隙間を有していてもよい。
【００４１】
外倒れ規制突片６０を突片取付部５６から外すには、固定板６１を後端部を中心に弾性片６２側へ倒して、係合突部６３と係合凹部５８の係合を外す。そして、外倒れ規制突片６０を前方に引き出すことで、外倒れ規制突片６０が突片取付部５６から外される。
【００４２】
カード受容凹部５０の構成に関する説明は以上である。次に、カード受容凹部５０へのカード９０の取り付けについて説明する。カード受容凹部５０にカード９０を取り付けるには、まず、カード９０を第２側壁２１の右側部分に重ね、カード９０の上部を右側に配置された外倒れ規制突片６０と上側受容凹部５５の奥面との間に差し込む。なお、上述の如く、外倒れ規制突片６０においては、弾性片６２が略くの字形状をなし、又、側部連絡壁６２Ｃ（図８（Ｂ）参照）が後方に向かうに従って幅方向中央側へ向かうように傾斜しているので、カード９０の差し込みは、外倒れ規制突片６０の側方又は下方の何れの方向からでも可能である。
【００４３】
ここで、本実施形態では、上述の如く、外倒れ規制突片６０と上側受容凹部５５との間の間隔がカード９０の厚さよりも小さくなっているので、カード９０が差し込まれると、弾性片６２の弾発力によって、カード９０が上側受容凹部５５の奥面に押し付けられる。
【００４４】
次いで、カード９０を第２側壁２１に沿って左側に移動させて、カード９０の下端部を第１の差込溝５３Ｍと第２の差込溝５２Ｍに差し込む。このとき、左側に配置された外倒れ規制突片６０と上側受容凹部５５の奥面との間に、カード９０の左側の上部を差し込むことで、カード９０の左上部が上側受容凹部５５の奥面に押し付けられる。
【００４５】
このようにして、カード９０の下側部分が下縁突片５２Ｔと側縁突片５３Ｔとによって抜け止めされ、カード９０がカード受容凹部５０に取り付けられる。ここで、カード９０の上側部分は、左右の外倒れ規制突片６０，６０によって上側受容凹部５５の奥面に押し付けられるので、カード９０が外側に倒れることが規制されると共に、カード９０を安定的に保持することが可能となる。なお、上側受容凹部５５の奥面が下側受容凹部５１の奥面よりも内側に配置されているので、カード９０は、上側部分が下側部分に対して内側に折れ曲がった状態に保持される。
【００４６】
図１０には、図９に示したカード９０よりも横幅が小さなカード９１をカード受容凹部５０に取り付けた例が示されている。カード９１の取り付けは、右側の外倒れ規制突片６０でカード９１を挟まない点のみが異なっており、その他は、カード９０の場合と同様にして行われる。
【００４７】
図１０に示すように、カード９１が取り付けられた状態では、カード９０の場合と同様に、カード９１の下側部分が下縁突片５２Ｔと側縁突片５３Ｔとによって抜け止めされ、左側の外倒れ規制突片６０によって、カード９１の上側部分が上側受容凹部５５の奥面に押し付けられる。また、カード９１の場合についても、上側部分が下側部分に対して内側に折れ曲がった状態に保持される。
【００４８】
ところで、カード受容凹部５０にカード９０を取り付けた状態で折畳コンテナ１０を折り畳むと、カード９０は、外倒れ規制突片６０によって上側受容凹部５５の奥面に押し付けられた状態のまま、第２側壁２１と一体に移動する。このとき、カード９０の下側部分は、底壁３０に対して上方に移動して、差込溝５０Ｍから抜ける（図１１参照）。このように、本実施形態では、折畳コンテナ１０を折畳状態にするついでに、カード９０を差込溝５０Ｍから外すことができる。なお、図１１の例では、カード９０が取り付けられた場合が示されているが、カード９１が取り付けられた場合についても同様である。
【００４９】
本実施形態の折畳コンテナ１０の構成に関する説明は以上である。次に、折畳コンテナ１０の作用効果について説明する。
【００５０】
本実施形態の折畳コンテナ１０によれば、上側受容凹部５５の開口縁部から突出した外倒れ規制突片６０が、カード受容凹部５０に受容されたカード９０に外側から重ねられてカード９０が外側に倒れることを規制するので、折畳コンテナ１０の側部に取り付けられたカード９０が外側に倒れることが防がれる。しかも、本実施形態では、カード受容凹部５０に受容されたカード９０が、下側部分に対して上側部分が内側に折り曲げられた状態となるので、カード９０を一層倒れ難くすることが可能となる。
【００５１】
また、本実施形態では、差込溝形成突部５０が、下側受容凹部５１の横方向一端側（左側）から突出した側縁突片５３Ｔと、下側受容凹部５１の下端部から突出した下縁突片５２Ｔとのみで構成されているので、下側受容凹部５１の横方向他端側部分全体が折畳コンテナ１０の外側に開放した構造となっている。従って、下側受容凹部５１の横方向他端側（右側）にカード９０を重ねて一端側へ移動させることで、カード９０を差込溝５０Ｍに差し込むことが可能となり、底壁３０へのカード９０の取り付けが容易に行える。しかも、カード受容凹部５０の横方向一端側には、外倒れ規制突片６０も備えられているので、横幅の小さなカード９１を取り付けた場合には、そのカード９１の上部が外側に倒れることが防がれる。さらに、外倒れ規制突片６０は、カード受容凹部５０の横方向他端側にも備えられているので、横幅の大きなカード９０を取り付けた場合には、そのカード９０の他端側が外側に倒れることが防がれる。
【００５２】
なお、本実施形態において、外倒れ規制突片６０と上側受容凹部５５との間の間隔よりも薄いカードを取り付けることもできる。この場合、外倒れ規制突片６０は、カードを上側受容凹部５５の奥面に押し付けることはないが、カードの外側に重なってカードが外側に倒れることを防ぐ。
【００５３】
［第２実施形態］
以下、本発明の第２実施形態を図１２に基づいて説明する。本実施形態は、上記第１実施形態を変形したものであり、主として、差込溝及び差込溝形成突部の構成が異なっている。
【００５４】
図１２に示すように、本実施形態に係る折畳コンテナ１０Ｖでは、差込溝形成突部７０Ｔが、下側受容凹部５１における横方向全体に亘って形成され、下側受容凹部５１の左右の両側縁と下縁との三つの辺部から突出した略コの字形状をなしている。なお、差込溝形成突部７０Ｔの右辺部は、側部対向壁３７の段差部３７Ｄと一体になっている
【００５５】
差込溝形成突部７０Ｔの下辺部７１Ｃと下側受容凹部５１の奥面（側部対向壁３７）との間には、横方向に延びた下部差込溝７２Ｍが形成されている。また、差込溝形成突部７０の左右の辺部７１Ａ，７１Ｂと下側受容凹部５１の奥面との間に、上下方向に延びた側部差込溝７３Ｍ，７３Ｍが形成されている。そして、側部差込溝７３Ｍ，７３Ｍと下部差込溝７２Ｍとによって、略コの字形状の差込溝７０Ｍが構成されている。
【００５６】
本実施形態に係る折畳コンテナ１０Ｖのその他の構成については、上記第１実施形態と同様になっているので、同一符号を付すことで説明を省略する。本実施形態によっても、上記第１実施形態と同様の効果を奏することが可能である。
【００５７】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）上記実施形態では、外倒れ規制突片６０が前後方向に弾性変形可能に構成されていたが、弾性変形不能に構成されてもよい。なお、この場合、外倒れ規制突片６０と上側受容凹部５５の奥面との間隔は、カード９０，９１の厚さと同じか、それよりも若干大きくなっていて、外倒れ規制突片６０がカード９０の外側に重ねられることでカード９０が外側に倒れないようになっている。
【００５９】
（２）上記実施形態では、組立状態で上側受容凹部５５の奥面が下側受容凹部５１の奥面より内側に配置される構成であったが、上側受容凹部５５の奥面と下側受容凹部５１の奥面とが面一に配置される構成であってもよい。
【００６０】
（３）上記実施形態では、外倒れ規制突片６０は、第２側壁２１に着脱可能に固定されていたが、接着剤等で着脱不能に固定されてもよい。
【００６１】
（４）上記実施形態では、外倒れ規制突片６０をカード受容凹部５０の左右両側に備えていたが、左側又は右側の何れか一方だけに備えた構成であってもよい。
【００６２】
（５）図１３に示すように、下側受容凹部５１の下縁及び側縁に、上記実施形態よりも幅狭な下縁突片５２Ｔと側縁突片５３Ｔを備えた構成であってもよい。なお、図１３の例では、下縁突片５２Ｔと側縁突片５３Ｔとが複数ずつ備えられているが、共に１つずつであってもよいし、一方のみが１つであってもよい。また、同図の例では、複数の側縁突片５３Ｔによって本発明の「第１の差込溝形成突部」が形成され、複数の下縁突片５２Ｔによって本発明の「第２の差込溝形成突部」が形成されている。
【００６３】
（６）上記実施形態におけるカード受容凹部５０を左右反転させた構成であってもよい。即ち、差込溝５０が下側受容凹部５１の左側に寄せて配置された構成であってもよい。
【００６４】
（７）上記実施形態では、カード受容凹部５０が、底壁３０の第２側壁支持部３２Ｂと第２側壁２１に形成されていたが、第１側壁支持部３２Ａと第１側壁１１に形成されてもよい。
【００６５】
（８）外倒れ規制突片６０が上側受容凹部５５の外側に飛び出す構成であってもよい。
【符号の説明】
【００６６】
１０，１０Ｖ    折畳コンテナ
１１    第１側壁
２１    第２側壁
３０    底壁
５０    カード受容凹部
５０Ｍ，７０Ｍ    差込溝
５０Ｔ，７０Ｔ    差込溝形成突部
５１    下側受容凹部（底壁におけるカード受容凹部）
５２Ｍ    第２の差込溝
５２Ｔ    下縁突片（第２の差込溝形成突部）
５３Ｍ    第１の差込溝
５３Ｔ    側縁突片（第１の差込溝形成突部）
５５    上側受容凹部（側壁におけるカード受容凹部）
６０    外倒れ規制突片
９０，９１    カード
【図１】
2015120523.tif 000003
【図２】
2015120523.tif 000004
【図３】
2015120523.tif 000005
【図４】
2015120523.tif 000006
【図５】
2015120523.tif 000007
【図６】
2015120523.tif 000008
【図７】
2015120523.tif 000009
【図８】
2015120523.tif 000010
【図９】
2015120523.tif 000011
【図１０】
2015120523.tif 000012
【図１１】
2015120523.tif 000013
【図１２】
2015120523.tif 000014
【図１３】
2015120523.tif 000015